(57)【特許請求の範囲】
【請求項１】
ネットワーク・ノード（110）における、前記ネットワーク・ノード（110）と移動局（120）との間の無線送信のスケジューリングを行うための方法であって、
前記移動局（120）のマルチスロット・クラスを得るステップ（301）と、
下りリンクのテンポラリ・ブロック・フローの構成を決定するステップ（302）と、
上りリンク・タイムスロットを前記移動局（120）に割り当てるとともに、前記下りリンクのテンポラリ・ブロック・フローの構成と、前記移動局（120）の前記マルチスロット・クラスとに基づいて、割り当てた上りリンク・スロットのそれぞれを優先度値とを関連付けるステップ（304）と
を含み、
上りリンク・タイムスロットを前記移動局（120）に割り当てるとともに、割り当てた上りリンク・スロットのそれぞれを優先度値と関連付ける前記ステップ（304）は、
下りリンクの送信に割り当てられる最小番号のタイムスロット番号に、４を加えて、送信から受信に切り替えるのに要するタイムスロット数を引くアルゴリズム、
によって計算された、最大でタイムスロット番号７のタイムスロット番号から開始して、タイムスロット番号０に至るまで、タイムスロット番号の降順で、前記移動局（120）の前記得られたマルチスロット・クラスに基づいて、優先度順に可能な限り多くの上りリンク・タイムスロットを選択するステップ
を含むことを特徴とする方法。
【請求項２】
上りリンク・タイムスロットの前記移動局（120）への前記割り当ては、連続する上りリンク・タイムスロットを用いて行われることを特徴とする請求項１に記載の方法。
【請求項３】
前記移動局（120）の前記得られたマルチスロット・クラスに基づいて、可能な限り多くの下りリンク・タイムスロットを割り当てるステップ（303）を更に含むことを特徴とする請求項１または２に記載の方法。
【請求項４】
下りリンク・タイムスロットの前記割り当ては、連続する下りリンク・タイムスロットを用いて行われることを特徴とする請求項３に記載の方法。
【請求項５】
上りリンク・タイムスロットを前記移動局（120）に割り当てるとともに、割り当てた上りリンク・スロットのそれぞれを優先度値と関連付ける前記ステップ（304）は、
下りリンクの送信に割り当てられる最小番号のタイムスロット番号に、５を加えて、送信から受信に切り替えるのに要するタイムスロット数を引くアルゴリズム、
によって計算された、最大でタイムスロット番号７のタイムスロット番号から開始して、タイムスロット番号７に至るまで、タイムスロット番号の昇順で、前記移動局（120）の前記得られたマルチスロット・クラスに基づいて、優先度順に可能な限り多くの上りリンク・タイムスロットを選択するステップ
を更に含むことを特徴とする請求項１乃至４のいずれか１項に記載の方法。
【請求項６】
上りリンク・タイムスロットを前記移動局（120）に割り当てる前記ステップ（304）は、
可能な限り多くの上りリンク・タイムスロットを、テーブルから選択するステップ、
を更に含むことを特徴とする請求項１乃至５のいずれか１項に記載の方法。
【請求項７】
ネットワーク・ノード（110）と移動局（120）との間の無線送信のスケジューリングを行うためのネットワーク・ノード（110）であって、
下りリンクのテンポラリ・ブロック・フローの構成を決定し、前記移動局（120）のマルチスロット・クラスを得て、かつ、上りリンク・タイムスロットを前記移動局（120）に割り当てるとともに、前記下りリンクのテンポラリ・ブロック・フローの構成と、前記移動局（120）の前記マルチスロット・クラスとに基づいて、割り当てた上りリンク・スロットのそれぞれを優先度値とを関連付ける、処理回路（420）を備え、
前記処理回路（420）は、更に、
下りリンクの送信に割り当てられる最小番号のタイムスロット番号に、４を加えて、送信から受信に切り替えるのに要するタイムスロット数を引くアルゴリズム、
によって計算された、最大でタイムスロット番号７のタイムスロット番号から開始して、タイムスロット番号０に至るまで、タイムスロット番号の降順で、前記移動局（120）の前記得られたマルチスロット・クラスに基づいて、優先度順に可能な限り多くの上りリンク・タイムスロットを選択する
ことを特徴とするネットワーク・ノード。
【請求項８】
前記処理回路（420）は、更に、
下りリンクの送信に割り当てられる最小番号のタイムスロット番号に、５を加えて、送信から受信に切り替えるのに要するタイムスロット数を引くアルゴリズム、
によって計算された、最大でタイムスロット番号７のタイムスロット番号から開始して、タイムスロット番号７に至るまで、タイムスロット番号の昇順で、前記移動局（120）の前記得られたマルチスロット・クラスに基づいて、優先度順に可能な限り多くの上りリンク・タイムスロットを選択する
ことを特徴とする請求項７に記載のネットワーク・ノード。
【請求項９】
移動局（120）において、ネットワーク・ノード（110）に対する、データの上りリンク送信におけるタイムスロットについてのスケジューリングの順序を選択するための方法であって、
前記ネットワーク・ノード（110）から上りリンク割当てを受信するステップ（501）と、
前記移動局（120）がモニタリングする必要がある、下りリンクの最小番号のタイムスロットと、前記移動局（120）の送信から受信への切替時間とを、パラメータとして用いるアルゴリズムに基づいて、タイムスロットが上りリンク送信のためにスケジューリングされる順序を選択するステップ（502）と、
利用可能な割り当てられたタイムスロットがそれ以上存在しなくなるか、または、送信するデータがそれ以上存在しなくなるまで、余っている前記割り当てられたタイムスロットが上りリンク送信に用いられないように、前記選択されたタイムスロットの順序で、上りリンク・データを送信するステップ（503）と
を含み、
タイムスロットが上りリンク送信のためにスケジューリングされる前記順序を選択する前記ステップ（502）は、
前記移動局（120）が監視する必要がある、下りリンクの最小番号のタイムスロット番号に、４を加えて、送信から受信に切り替えるのに要するタイムスロット数を引いた、最大でタイムスロット番号７のタイムスロット番号から開始して、タイムスロット番号０に至るまで、タイムスロット番号の降順で、タイムスロットを選択するステップ
を含むことを特徴とする方法。
【請求項１０】
タイムスロットが上りリンク送信のためにスケジューリングされる前記順序を選択する前記ステップ（502）は、
前記タイムスロット番号の順序をルックアップテーブルから選択するステップ
を含むことを特徴とする請求項９に記載の方法。
【請求項１１】
タイムスロットが上りリンク送信のためにスケジューリングされる前記順序を選択する前記ステップ（502）は、
前記移動局（120）が監視する必要がある、下りリンクの最小番号のタイムスロット番号に、５を加えて、送信から受信に切り替えるのに要するタイムスロット数を引いた、最大でタイムスロット番号７のタイムスロット番号から開始して、タイムスロット番号７に至るまで、タイムスロット番号の昇順で、タイムスロットを選択するステップ
を含むことを特徴とする請求項９または１０に記載の方法。
【請求項１２】
移動局（120）であって、
前記ネットワーク・ノード（110）から上りリンク割当てを受信する受信機（610）と、
前記移動局（120）が監視する必要がある、下りリンクの最小番号のタイムスロットと、前記移動局（120）の送信から受信への切替時間とを、パラメータとして用いるアルゴリズムに基づいて、タイムスロットが上りリンク送信のためにスケジューリングされる前記順序を選択する処理回路（620）と、
利用可能な割り当てられたタイムスロットがそれ以上存在しなくなるか、または、送信するデータがそれ以上存在しなくなるまで、使われていない前記割り当てられたタイムスロットが、上りリンク送信に用いられないように、前記選択されたタイムスロット順に、上りリンク・データを送信する送信機（630）と
を備え、
前記処理回路（620）は、更に、
前記移動局（120）が監視する必要がある、下りリンクの最小番号のタイムスロット番号に、４を加えて、送信から受信に切り替えるのに要するタイムスロット数を引いた、最大でタイムスロット番号７のタイムスロット番号から開始して、タイムスロット番号０に至るまで、タイムスロット番号の降順で、タイムスロットを選択する
ことを特徴とする移動局。
【請求項１３】
前記処理回路（620）は、更に、
前記移動局（120）が監視する必要がある、下りリンクの最小番号のタイムスロット番号に、５を加えて、送信から受信に切り替えるのに要するタイムスロット数を引いた、最大でタイムスロット番号７のタイムスロット番号から開始して、タイムスロット番号７に至るまで、タイムスロット番号の昇順で、タイムスロットを選択することによって、タイムスロットが上りリンク送信のためにスケジューリングされる前記順序を選択する
ことを特徴とする請求項１２に記載の移動局
【請求項１４】
データを格納するためのメモリ（625）であって、タイムスロットが上りリンク送信のためにスケジューリングされる前記順序を、ルックアップテーブルに格納した前記メモリ（625）を更に備えることを特徴とする請求項１２または１３に記載の移動局。
【発明の詳細な説明】
【技術分野】
【０００１】
本開示は、ネットワーク・ノード、ネットワーク・ノードにおける方法、移動局、及び移動局における方法に関するものである。特に、本開示は、無線通信システムにおける無線送信のスケジューリングに関するものである。
【背景技術】
【０００２】
移動局は、移動端末、無線端末及びユーザ装置（ＵＥ）の少なくとも１つとしても知られ、時にはセルラ無線システムとも称される無線通信システムにおいて、無線で通信することができるようになっている。通信は、例えば２つの移動局間、移動局と通常の電話との間、及び、移動局とサーバとの間の少なくとも１つで、無線アクセス・ネットワーク（ＲＡＮ）と、場合によっては１つ以上のコア・ネットワークとを介して行われうる。
【０００３】
移動局は更に、移動電話、セルラ電話、無線機能付きラップトップと称される場合がある。本明細書における移動局は、例えば、携帯できる、ポケットに入る、ハンドヘルドの、コンピュータ装備の、または車載の移動デバイスである場合があり、音声及びデータの少なくともいずれかを、無線アクセス・ネットワークを介して、別のエンティティ（例えば、別の移動局またはサーバなど）と通信できるようになっている。
【０００４】
無線通信システムは、複数のセル・エリアに分割されている地理的領域をカバーしていて、各セル・エリアは、基地局（例えば無線基地局（ＲＢＳ））によりサービングされており、基地局は、一部のネットワークでは、用いる技術及び用語に依存して、「ｅＮＢ」、「ｅＮｏｄｅＢ」、「ＮｏｄｅＢ」または「Ｂノード」と称される場合がある。基地局は、送信電力に基づいて、及びその結果としてセルの大きさにも基づいて、例えば、マクロｅＮｏｄｅＢ、ホームｅＮｏｄｅＢ、またはピコ基地局のような、種々のクラスである場合がある。セルは、基地局サイトにある基地局によって無線カバレッジが提供される、地理的領域である。１つの基地局は、基地局サイトに位置しており、１つ以上のセルをサービングしうる。基地局は、無線周波数で動作するエア・インタフェースを介して、基地局の範囲内の移動局と通信する。
【０００５】
一部の無線アクセス・ネットワークでは、数個の基地局が、例えば地上の通信線またはマイクロ波により、例えばユニバーサル移動通信システム（ＵＭＴＳ：Universal Mobile Telecommunications System）における無線ネットワーク制御装置（ＲＮＣ）に接続される場合がある。ＲＮＣは、例えばＧＳＭ（登録商標）においては、場合によっては基地局制御装置（ＢＳＣ）と称され、当該ＲＮＣに接続された複数の基地局の様々な動作を、管理及び調整しうる。ＧＳＭは、モバイル通信用グローバルシステム（Global System for Mobile Communications）（当初は、Groupe Special Mobile）に対する略語である。
【０００６】
第３世代パートナーシップ・プロジェクト（３ＧＰＰ）ロング・ターム・エボリューション（ＬＴＥ）では、基地局は、ｅＮｏｄｅＢ、またはｅＮＢとも称される場合があり、ゲートウェイ（例えば無線アクセス・ゲートウェイ）に接続される場合がある。無線ネットワーク制御装置は、１つ以上のコア・ネットワークに接続される場合がある。
【０００７】
ＵＭＴＳは、ＧＳＭから発展した第３世代移動通信システムであり、そして広帯域符号分割多元接続（ＷＣＤＭＡ）アクセス技術に基づいて改善された移動通信サービスを提供することが意図されている。ＵＭＴＳ地上無線アクセス・ネットワーク（ＵＴＲＡＮ）は、基本的に、移動局のために広帯域符号分割多元接続を用いる無線アクセス・ネットワークである。３ＧＰＰは、更にＵＴＲＡＮ及びＧＳＭに基づく無線アクセス・ネットワーク技術を発展させるように取り組んできている。
【０００８】
３ＧＰＰ／ＧＥＲＡＮに従って、移動局は、マルチスロット・クラスを有し、マルチスロット・クラスは、上りリンク及び下りリンクの方向における最大転送レートを定める。ＧＥＲＡＮは、ＧＳＭ ＥＤＧＥ無線アクセス・ネットワークに対する略語である。ＥＤＧＥは更に、ＧＳＭ拡張版向け高速データレート（Enhanced Data rates for GSM Evolution）に対する略語である。
【０００９】
本明細書では、下りリンクという表現は、基地局から移動局への伝送路に対して用いられる。上りリンクという表現は、反対方向における、すなわち移動局から基地局への伝送路に対して用いられる。
【００１０】
下りリンク及び上りリンクの最大レートは、多くのマルチスロット・クラスについて、特定のマルチスロット・クラスの性質に起因して、同時には達しない場合がある。ＧＥＲＡＮは、上りリンクか下りリンクか、いずれの方向を優先すべきかを必ず決めるとともに、同時に双方にではなく、上りリンクか下りリンクのいずれかに最大帯域幅を与える。
【００１１】
移動局と基地局との間における信号の送信は、キャリア（搬送波）上でなされうる。フレームは、複数のタイムスロットに細分化され、タイムスロットは、上りリンクか下りリンクのいずれかの送信に割り当てられうる。
【００１２】
パケットに基づくセッションのデータ・フローについての主方向（main direction）、すなわち上りリンクまたは下りリンクを決定するアルゴリズムが利用される場合がある。しかし、多くの場合、当該アルゴリズムは、移動局のマルチスロット能力に従って帯域幅を完全に利用するために十分に高速ではあるはずはない。多くの双方向のパケット交換サービスは、データのアップロード及びダウンロードを必要とするが、同時には必要としない。当該サービスは、アップロードがダウンロードにより応答され、そして逆の場合も同じであるという意味で、双方向である場合がある。上りリンクから下りリンクへの、及びその逆の場合の、帯域幅要求のそのような高速な変更は、３ＧＰＰ／ＧＥＲＡＮリリース９で備えられた拡張適応的タイムスロット割り当て（ＥＦＴＡ：Enhanced Flexible Timeslot Assignment）を用いることで可能になる。ＥＦＴＡは、帯域幅の完全な利用を可能にし、そしてそれにより、より効率的なパケット交換サービスを提供する。ＥＦＴＡを用いることで可能になる別の特徴は、移動局及び方向（下りリンク及び上りリンク）について、１キャリアあたり６つ以上のタイムスロットをサポートし、かつ、用いることである。これは、ＥＦＴＡがなければ、今日では実際には不可能である。「タイプ２」の移動局についてのサポートは、移動局に実装するには非常に複雑で、かつ、費用が掛かると考えられるためである。
【００１３】
所要のデータ帯域幅を提供するために、複数のキャリアが、キャリア・アグリゲーションと称される処理で用いられる場合がある。タイプ１のシステム及びタイプ２のシステムは、キャリア・アグリゲーションが用いられるかどうかに応じて分類される。キャリア・アグリゲーションを用いることにより、複数のキャリアが、所要の帯域幅を提供するために物理レイヤ上で統合される。
【００１４】
共有コンポーネント・キャリアは、タイプ１の移動局とタイプ２の移動局の双方に用いられる一方で、専用コンポーネント・キャリアは、タイプ２の移動局にのみ用いられる。また、タイプ２の基地局は、共有コンポーネント・キャリアを用いることにより、ブロードキャスト情報を送信する。この場合、ブロードキャスト情報は、タイプ１の移動局とタイプ２の移動局の双方に用いられる共有ブロードキャスト情報と、タイプ２の移動局にのみに用いられる専用ブロードキャスト情報とを含む。更に、タイプ２の基地局は、半固定的なコンポーネント・キャリア・インジケータまたは動的コンポーネント・キャリア・インジケータを用いることによって、タイプ２の移動局によって用いられるコンポーネント・キャリアを知らせる。
【００１５】
６つ以上のタイムスロットが、例えばＥＦＴＡシステム内でサポートされ、かつ用いられる場合、上りリンクのブロック及び下りリンクのブロックには、「衝突する（colliding）」（すなわち、上りリンク通信及び下りリンク通信の双方に対して同時にタイムスロットが割り当てられる）リスクがある。ＥＦＴＡでは上りリンクが優先されるので、そのようなケースでは、下りリンクのブロックが失われ、かつ、再送される必要がある。「衝突」の確率は、選択されたテンポラリ・ブロック・フロー（ＴＢＦ：Temporary Block Flow）構成（configuration）に依存して、高くも低くもなる。多数の入力を用いてＴＢＦ構成を決定するのは、ＥＦＴＡチャネル利用（Channel Utilisation）機能次第である。
【００１６】
既存の解決策に付随する問題は、上りリンクが優先され、かつ、上りリンクのスケジューリング順序が予め定義されている（すなわちＥＦＴＡに組み込まれている）ため、一部のＴＢＦ構成では、上りリンクと下りリンクとの間でより多くの衝突が生じ、それにより下りリンクにおいてより多くの再送がなされなければないという意味で、他の構成よりもかなり劣化するということである。
【００１７】
８つ未満のタイムスロットの下りリンクを（１キャリアごとに）用いる場合、一部の上りリンク・タイムスロットは、他のものより、多くの下りリンク・タイムスロットを損なうことになる。８つのタイムスロットの下りリンクを（１キャリアごとに）用いる場合、一部の上りリンクのタイムスロットは、他のものより、重要な下りリンク・タイムスロットを損なうことになる。いずれの上りリンク・タイムスロットが下りリンク・タイムスロットを損なうのかは、いずれのタイムスロットが下りリンクＴＢＦ及び上りリンクＴＢＦに割り当てられるかに依存する。
【００１８】
ＥＦＴＡについて可能な限り最善のＴＢＦ構成を見出す１つの方法は、ＥＦＴＡ ＴＢＦが割り当てられることになるあらゆる機会に、可能な限りあらゆる代替案を評価することであろう。しかし、これにより、アルゴリズムが実装される基地局において多くの処理電力が費やされることになるであろう。上記方法は、より多くの時間を費やすとともに、無線通信システム内で全体的な性能低下をもたらす可能性もある。
【００１９】
別の解決策は、端末及び方向（下りリンク及び上りリンク）について、１キャリア当たり６つ以上のタイムスロットをサポート及び使用することを禁止することであろう。しかし、上りリンクは、通常、送信時間間隔（ＴＴＩ：Transmission Time Interval）ごとに割り当てられた全てのタイムスロットを必ずしも使用しない場合があるので、タイムスロットの予約に制限を設定することは、性能に厳しく影響し、利用可能なリソースの利用度を低下させるであろう。
【００２０】
また、上りリンク／下りリンクにおいてそれぞれ受信と送信との間で切り替えるための切替時間は、無線通信システム内で可能な限り最善のＴＢＦ構成を見出す方法の性能に影響を及ぼし、通信遅延の向上にも劣化にも繋がるであろう。
【発明の概要】
【００２１】
上記の不都合の少なくとも一部を取り除くとともに、無線通信システムにおける改善した性能を提供することを目的としている。
【００２２】
第１の態様によれば、本目的は、ネットワーク・ノードにおける方法によって達成される。本方法は、ネットワーク・ノードと移動局との間の無線送信のスケジューリングを行うことを狙いとしている。本方法は、移動局のマルチスロット・クラスを得るステップを含む。更に、下りリンクのテンポラリ・ブロック・フロー構成が決定される。その後、下りリンクのテンポラリ・ブロック・フロー構成と、移動局のマルチスロット・クラスとに基づいて、上りリンク・タイムスロットのそれぞれが、優先度値と関連付けられ、移動局に割り当てられる。
【００２３】
第２の態様によれば、本目的は、ネットワーク・ノードと移動局との間の無線送信のスケジューリングを行うためのネットワーク・ノードによって達成される。ネットワーク・ノードは、下りリンクのテンポラリ・ブロック・フローの構成を決定し、移動局のマルチスロット・クラスを得て、かつ、上りリンク・タイムスロットを移動局に割り当てるとともに、下りリンクのテンポラリ・ブロック・フローの構成と、移動局のマルチスロット・クラスとに基づいて、割り当てた上りリンク・スロットのそれぞれを優先度値とを関連付ける、処理回路を備える。
【００２４】
第３の態様によれば、本目的は、移動局における方法によって達成される。本方法は、ネットワーク・ノードに対する、データの上りリンク送信におけるタイムスロットについてのスケジューリングを行うことを狙いとしている。本方法は、ネットワーク・ノードから上りリンク割当てを受信するステップを含む。更に、本方法はまた、移動局がモニタリングする必要がある、下りリンクの最小番号のタイムスロットと、移動局の送信から受信への切替時間とを、パラメータとして用いるアルゴリズムに基づいて、タイムスロットが上りリンク送信のためにスケジューリングされる順序を選択するステップを含む。その上、本方法は、ネットワーク・ノードによって受信されるように、選択されたタイムスロットの順序で、上りリンク・データを送信するステップを含む。当該上りリンク・データは、余っている割り当てられたタイムスロットが上りリンク送信に用いられないように、利用可能な割り当てられたタイムスロットがそれ以上存在しなくなるか、または、送信するデータがそれ以上存在しなくなるまで、送信される。
【００２５】
第４の態様によれば、本目的は、ネットワーク・ノードへの上りリンク送信におけるタイムスロットについてのスケジューリングの順序を選択する移動局によって達成される。移動局は、受信機を備える。受信機は、ネットワーク・ノードから上りリンク割当てを受信する。また、移動局は、処理回路を更に備える。処理回路は、移動局がモニタリングする必要がある、下りリンクの最小番号のタイムスロットと、移動局の送信から受信への切替時間とを、パラメータとして用いるアルゴリズムに基づいて、タイムスロットが上りリンク送信のためにスケジューリングされる順序を選択する。また、移動局は送信機を更に備える。送信機は、ネットワーク・ノードにより受信されるように、選択されたタイムスロットの順序で、上りリンク・データを送信する。当該上りリンク・データは、余っている割り当てられたタイムスロットが上りリンク送信に用いられないように、利用可能な割り当てられたタイムスロットがそれ以上存在しなくなるか、または、送信するデータがそれ以上存在しなくなるまで、送信される。
【００２６】
本発明の方法及びノードの実施形態は、利用されるべき上りリンク・タイムスロットの構成を決定し、より良好な構成の選択を、多少改善された構成の選択を、または、最適な構成の選択でさえも、簡易にする。本方法の実施形態には、２つの入力値があるのみであるので、あらゆる組み合わせを（例えば、予め定義された選択テーブルにおいて、ルックアップテーブルにおいて）実装することが、実現可能である。このことは、構成を選択することを、決定論的かつ高速にする。それにより、無線通信システムにおける改善された性能が提供される。
【００２７】
他の目的、効果及び新規な特徴は、以下の詳細な説明から明らかになる。
【図面の簡単な説明】
【００２８】
例示的な実施形態を示す添付図面を参照して、本解決策をより詳細に説明する。
【００２９】
【図１】一部の実施形態に係る無線通信システムを示す概略的なブロック図である。
【図２】無線通信システムにおける典型的な実施形態を示すブロック図及びフローチャートを組み合わせたものである。
【図３】一部の実施形態に係る無線通信システム内のネットワーク・ノードにおける方法を示す概略的なブロック図である。
【図４】一部の実施形態に係る無線通信システム内のネットワーク・ノードを示す概略的なブロック図である。
【図５】一部の実施形態に係る無線通信システム内の移動ノードにおける方法を示す概略的なブロック図である。
【図６】一部の実施形態に係る無線通信システム内の移動ノードを示す概略的なブロック図である。
【図７】一部の実施形態に係る、上りリンクの種々のタイムスロット構成の性能を示す概略的なブロック図である。
【発明を実施するための形態】
【００３０】
本解決策は、無線通信システムにおいて、ネットワーク・ノードにおける方法、ネットワーク・ノード、移動局における方法及び移動局として定義され、以下で説明する実施形態で実現可能である。しかし、この解決策は、多くの異なる形式で実施可能であり、本明細書で説明される実施形態に限定されるものと見なされるべきではなく、むしろ、これらの実施形態は、本開示が非の打ち所がなく、そして完全となるように提供される。
【００３１】
本解決策の実施形態のさらなる他の特徴及び長所は、添付の図面と併せて考察される下記の詳細な明細書から明白になりうる。しかしながら、当然のことながら、図面は単に説明の目的のために図案されており、本解決策の限界を定義するものとしては図案されていない。更に、当然のことながら、図面は必ずしもスケールを合わせて描かれてなく、他に指定のない限り、それらは本明細書で説明されている構造及び手順を概念的に説明することを意図しているだけである。
【００３２】
図１は、いくつかのオプションを挙げるだけでも、例えば、３ＧＰＰ ＬＴＥ、ＬＴＥ先進型（LTE-Advanced）、ＵＴＲＡＮ、発展型（Evolved）ＵＴＲＡＮ（Ｅ−ＵＴＲＡＮ）、ＵＭＴＳ、ＧＳＭ／ＥＤＧＥ、ＧＥＲＡＮ、ＷＣＤＭＡ、時分割多元接続（ＴＤＭＡ）、マイクロ波アクセスのための世界的相互運用（ＷｉＭａｘ）、またはウルトラ・モバイル・ブロードバンド（ＵＭＢ）のような、無線通信システム１００を描いている。
【００３３】
無線通信システム１００は、種々の実施形態によれば、時分割複信（ＴＤＤ）原理及び周波数分割複信（ＦＤＤ）原理の少なくともいずれかに従って動作するように構成されうる。
【００３４】
ＴＤＤは、可能な限り、上りリンク・シグナリングと下りリンク・シグナリングとの間で、時間領域に位置するガード期間を用いて、上りリンク信号及び下りリンク信号を時間で分離するのに、時分割多重を適用したものである。ＦＤＤは、送信機及び受信機が異なるキャリア周波数で動作することを意味する。
【００３５】
図１における図示の目的は、本方法及び関連する機能の全体的な概観を提供することである。本方法及びノードについて、限定しない例として、３ＧＰＰ／ＧＥＲＡＮ環境において説明する。
【００３６】
無線通信システム１００は、互いに通信するように配置された、ネットワーク・ノード１１０、及び移動局１２０を備える。移動局１２０は、ネットワーク・ノード１１０により定義される、セル１３０内に位置している。移動局１２０は、ネットワーク・ノード１１０により受信されることになる情報データを含む無線信号を送信するように構成される。逆に、移動局１２０は、ネットワーク・ノード１１０により送信される情報データを含む無線信号を受信するように構成される。
【００３７】
図１でネットワーク・ノード１１０及び移動局１２０について示されている設定は、限定されない典型的な実施形態のみと見なされるべきであるということを注意すべきである。無線通信システム１００は、他の任意の数の、ネットワーク・ノード１１０及び移動局１２０の少なくともいずれかと、ネットワーク・ノード１１０及び移動局１２０の少なくともいずれかについての他の任意の組み合わせと、の少なくともいずれかを含む場合がある。
【００３８】
ネットワーク・ノード１１０は、例えば、用いられる無線アクセス技術及び用語によって、例えば基地局、ＮｏｄｅＢ、発展型ノードＢ（ｅＮＢまたはｅＮｏｄｅＢ）、無線基地局装置、アクセスポイント基地局、基地局ルータ、無線基地局（ＲＢＳ）、マクロ基地局、マイクロ基地局、ピコ基地局、フェムト基地局、ホームｅＮｏｄｅＢ、リレー及びリピータの少なくともいずれか、センサ、ビーコン・デバイス、または、無線インタフェースによる移動局１２０との通信のために構成された他の任意のネットワーク・ノード、と称されうる。本開示の残りの部分では、「ネットワーク・ノード」という用語を、本方法の理解を容易にするために、ネットワーク・ノード１１０について用いる。
【００３９】
移動局１２０は、例えば無線通信端末、移動セルラ電話、携帯情報端末（ＰＤＡ）、無線プラットホーム、ユーザ装置ユニット（ＵＥ）、携帯通信デバイス、ラップトップ、コンピュータ、または、ネットワーク・ノード１１０と無線で通信するように構成された他の任意の種類のデバイス、によって表現されうる。
【００４０】
ネットワーク・ノード１１０は、例えば、セル１３０内の移動局１２０への無線リソースを割り当て、及びネットワーク・ノード１１０と移動局１２０との間で信頼性のある無線通信リンクの保証といった、セル１３０内での無線リソース管理を制御する。
【００４１】
本方法及びノード１１０、ノード１２０についての一部の実施形態に係る基本的なコンセプトは、下りリンクＴＢＦのタイムスロット構成及び移動局１２０のマルチスロット・クラスに依存して、上りリンク・タイムスロットを異なる重要度（または重み、優先度）で扱うことである。
【００４２】
本方法及びノード１１０、ノード１２０の一部の実施形態により提供される別の特徴は、ＥＦＴＡを用いてタイムスロット利用度（utilization）を更に改善するために、上りリンクの特定のスケジューリング順を更に向上させることである。これにより、全てのタイムスロットは、上りリンクのスケジューリング順及び決定された下りリンク・スケジューラに基づいて、ＴＢＦ構成に関して言えば同等に重要であるとは見なされない。
【００４３】
図２は、無線通信システム１００における実施形態を示すブロック図とフローチャートとを組み合わせたものである。本方法は、ネットワーク・ノード１１０と移動局１２０との間での無線送信をスケジューリングすることを狙いとしている。
【００４４】
本方法は、無線通信システム１００におけるスケジューリングを効率よく行うために、いくつかのアクションを含みうる。これらのアクションは、本明細書で利用される出現順とは、多少異なる順序で実行されてもよく、種々の実施形態によれば典型的であるに過ぎない。
【００４５】
ネットワーク・ノード１１０は、スケジューリングされるべき移動局１２０のマルチスロット・クラスを得る。ネットワーク・ノード１１０は、一部の実施形態に従って要求を送信し、移動局１２０に、当該移動局１２０のマルチスロット・クラスを提供させうる。移動局１２０のマルチスロット・クラスは、事前に得られてもよいし、例えばメモリ、データベースまたは他の任意のデータ記憶部に、格納されていてもよい。
【００４６】
更に、利用されるべき下りリンクのテンポラリ・ブロック・フロー構成が、ネットワーク・ノード１１０によって決定される。
【００４７】
その後、ネットワーク・ノード１１０は、下りリンクのテンポラリ・ブロック・フロー構成と移動局１２０のマルチスロット・クラスとに基づいて、上りリンクのタイムスロットを移動局１２０に割り当てうるとともに、上りリンクの割り当てられた各タイムスロットを、優先度値（priority value）と関連付けうる。
【００４８】
その後、上りリンクの割当てが移動局１２０に送信されうる。移動局１２０は、上りリンク割当てを受信すると、タイムスロット番号の順序を選択しうる。送信に用いられることになる当該タイムスロット番号の順序は、移動局１２０がモニタリングする必要がある、下りリンクの最小番号（lowest numbered）のタイムスロットと、移動局１２０の送信から受信への切替時間と、をパラメータとして用いるアルゴリズムに基づいて、選択されうる。その後、上りリンクのデータは、選択されたタイムスロット番号順に送信されうる。
【００４９】
タイムスロットが上りリンク送信のために選択される順序は、一部の実施形態によれば、タイムスロット番号の順序をルックアップテーブルから選択することを含みうる。
【００５０】
一部の実施形態によれば、下記の想定によって、パケット・セッションについての性能を改善しうる方法を用いたチャネル利用機能を有することが可能になる。
１．下りリンクＴＢＦの所与のタイムスロット構成
２．予め定義された方法で機能する下りリンク・スケジューラ
３．上りリンクのブロックを所与のタイムスロット順に送信する上りリンク・スケジューラ
【００５１】
一部の実施形態による効果には、以下のものが含まれうる。
【００５２】
第一に、下りリンクＴＢＦが考慮されるので、タイムスロットの順序が改善された方法で選ばれうる。
【００５３】
第二に、上りリンクの６つ、７つまたは８つのタイムスロットを使う予約（reservation）によって、上りリンクのタイムスロットを連続したやり方で送信させることが利用されうる。それにより、上りリンクと下りリンクとの間における方向の変更回数が最小限に抑えられるか、または、少なくともある程度は低減され、システム性能の改善に繋がる。
【００５４】
第三に、４つ以下のタイムスロットが用いられる場合、下りリンクＴＢＦのタイムスロット構成と、移動局１２０のマルチスロット・クラスとに依存して、上りリンクの異なるタイムスロットには所与の異なる優先度が付与されるので、上りリンクが下りリンクに対して考慮されうる。
【００５５】
第四に、適用される切替時間が、上りリンクのスケジューリング順に考慮されうることで、改善されたシステム性能が提供される。
【００５６】
一部の実施形態によれば、チャネル利用機能は、所与の下りリンク・スケジューラ及び上りリンク・スケジューラを用いて、上りリンクのブロックと下りリンクのブロックとの間の「衝突」の回数を、最小限に抑えるか、または少なくとも減少させる方法を用いうる。このようにして、ＥＦＴＡの移動局１２０についての「衝突」を最小限に抑えるために、チャネル利用機能がいずれのタイムスロットを上りリンクＴＢＦ及び下りリンクＴＢＦに割り当て可能であるのかを、決定しなければならない。
【００５７】
例えば、下りリンクＴＢＦのタイムスロット構成は、タイムスロット０、１、２、３、４、５、６及び７に、８つのタイムスロット含みうるとともに、移動局１２０は、８つのタイムスロットの下りリンクと４つのタイムスロットの上りリンクとを同時に管理しうる。所与の下りリンク・スケジューラは、低いタイムスロット番号（ＴＮ０）から始まり、高いタイムスロット番号（ＴＮ７）に至るタイムスロットをスケジューリングする。上りリンク・スケジューラは、高いタイムスロット番号（ＴＮ７）から始まり、低いタイムスロット番号（ＴＮ０）に至るまでの、上りリンク・ブロックを送信する。
【００５８】
また、複数のタイムスロットが予約される場合、それらのタイムスロットをいずれの順序で用いるべきかという問題もある。上りリンクの全てのタイムスロットが、ＴＴＩごとに使用されるとは限らないことがあるため、タイムスロットが用いられる順序は、一定の効果を提供する場合がある。上りリンク及び下りリンクが、衝突に起因して結び付けられている場合、タイムスロットが用いられる順序は、下りリンクの性能に著しく影響を及ぼす場合がある。例えば、５プラス４の予約（a 5 plus 4 reservation）（Ｔtx＝Ｔrx＝１）に対してＴＴＩの間に、上りリンクで１つのタイムスロットのみが送信される場合、下りリンクのタイムスロットは損なわれないか、あるいは、１つ、２つまたは３つの下りリンク・タイムスロットが損なわれうる。
【００５９】
ここで、Ｔrxは、送信から受信への切替時間を表している一方で、Ｔtxは、受信から送信への切替時間を表している。
【００６０】
ある量のデータが送信される場合に用いられる上りリンクのタイムスロットが、適切に選ばれると、衝突のリスクが完全に除かれるか、最小限に抑えられるか、または少なくともある程度減少しうる。本方法の実施形態は、下りリンクの性能を改善するために、上りリンクのタイムスロットを優先させることを狙いとしている。
【００６１】
一部の実施形態によれば、下記の４つの入力のいずれか、いくつかまたは全てに基づいて、方法は、パケット・セッションについての性能を改善しうる。
１．下りリンクＴＢＦの所与のタイムスロット構成
２．予め定義された方法で機能する下りリンク・スケジューラ
３．上りリンクのブロックを所与のタイムスロット順に送信する上りリンク・スケジューラ
４．移動局１２０のマルチスロット・クラス
【００６２】
これは更に、上りリンクのタイムスロット構成を出力とする公式か、いくつかの２次元テーブルのいずれかとして表現可能であり、ここでは、上記の項番２及び項番３が常に想定されている。
【００６３】
一部の実施形態によれば、１マルチスロット・クラス当たり１つのテーブルが用いられうる。これは、２つの入力、即ち、そのときの下りリンクＴＢＦのタイムスロット構成と、移動局１２０のマルチスロット・クラスとに委ねられる。
【００６４】
本方法の実施形態は、いくつかの考慮すべきことを含みうる。列挙された考慮すべきことの一部が、一部の実施形態にのみ含まれていることに留意されたい。更に、当該考慮すべきことは、一部の考慮すべきことが、同時に、または多少異なる順序で、修正された順序若しくは逆の順序でも行われうるように、一部の実施形態に従って出現の順序が表すよりも別の順序で行われうる。
【００６５】
下りリンクと比べて上りリンクがどのように用いられるかに依存して、ＥＦＴＡの効率は変化する。ＴＢＦについての上りリンク・タイムスロットを、開示される順序でスケジューリングすることによって、効率が向上する。
【００６６】
上りリンク予約の効率は、下りリンクのタイムスロットとの関連で、タイムスロットがどのように配置されるかに依存しうる。上りリンクのタイムスロットがスケジューリングされる順序は、以下のように導出可能である。
ｄ＝割り当てられる下りリンク・タイムスロットの数
ｕ＝割り当てられる上りリンク・タイムスロットの数
ｄ＞＝ｕ、即ち、割り当てられる下りリンク・タイムスロットの数が、割り当てられる上りリンク・タイムスロットの数よりも大きいか等しい
ｘ＝下りリンクの送信が始まるタイムスロット番号
【００６７】
タイムスロットの計算は、８を法として行われうる。８を法とする計算は、数え上げが８に至るまでなされ、その後、９回目の数え上げで再び１から始まることを意味する。方向の変更回数が低減されうるか、または最小限に抑えられうるので、連続するタイムスロットを使用することが有益である。その結果として、連続する下りリンク・タイムスロット及び連続する上りリンク・タイムスロットの少なくともいずれかが好適である。
【００６８】
周波数ホッピングが用いられる場合には、ＴＮ０またはＴＮ７が、周波数の変更のために用いられうる。周波数が変更されるのと同じタイムスロットの間に、方向が変更されうる。
【００６９】
連続するタイムスロットが、８を法として用いずに決定されてもよい。ＴＢＦにおいて、始まりのタイムスロット番号は、ＴＮ（０）に最も近いものであってもよく、終わりのタイムスロット番号は、ＴＮ（７）に最も近いものであってもよい。
【００７０】
下りリンクのタイムスロットの、上りリンク・タイムスロットによる衝突に起因して損失する下りリンク・ブロックの最小数は、以下のように記述可能である。
【００７１】
上りリンク、下りリンク、Ｔrx及びＴtx（周波数ホップ切替は、ＴrxまたはＴtxと組み合わされると仮定している）について共有する８つのタイムスロットが存在する。ＥＦＴＡについては、構成要素の合計が８より大きい場合があり、損失は下りリンクが被る。この損失は、下りリンク損失（dl_loss）と称される。
８＋dl_loss≧ｄ＋ｕ＋Ｔrx＋Ｔtx，dl_loss≧０，ｕ＞０，ｄ＞０
＜＝＞
dl_loss＝max(０，ｄ＋ｕ＋Ｔrx＋Ｔtx−８)，ｕ＞０，ｄ＞０
【００７２】
更に、
ｕ＝１：上りリンクのタイムスロット番号（ｘ＋４−Ｔrx）＝＞最小限のdl_loss
Ｔrx＝１
ｄ≦５について、０dl_loss
ｄ＝６について、１dl_loss
ｄ＝７について、２dl_loss
ｄ＝８について、３dl_loss
Ｔrx＝０
ｄ≦６について、０dl_loss
ｄ＝７について、１dl_loss
ｄ＝８について、２dl_loss
【００７３】
タイムスロット番号（ｘ＋４−Ｔrx）よりも低いタイムスロット番号に、上りリンクのタイムスロットを追加するごとに、最大１タイムスロットだけdl_lossを増やす。
【００７４】
上りリンクのタイムスロット番号（ｘ＋５−Ｔrx）は、下りリンクのタイムスロット番号（ｘ＋８）＝ＴＮ（ｘ）を損なわせうる。
【００７５】
結果として、タイムスロット番号（ｘ＋４−Ｔrx）を選択し始めて、その後、タイムスロット番号を、より低い、利用可能なタイムスロット番号がなくなるまで減らし、その後、タイムスロット番号（ｘ＋５−Ｔrx）を選択し、その後、タイムスロット番号を、最も高い、利用可能なタイムスロット番号に至るまで増やす。
【００７６】
結論は以下のとおりである。
上りリンクのタイムスロットは、以下の順序で用いられうる。
［ｘ＋４−Ｔrxから０まで減らす，ｘ＋５−Ｔrxから７まで増やす］
【００７７】
このため、ＥＦＴＡ割り当てについてタイムスロットを選択するための、結果として得られたアルゴリズムは、以下を含みうる。
Ａ．連続するタイムスロットを選んでいる間は、移動局のマルチスロット・クラスのパラメータＲx及び利用可能性（availability）に従って、可能な限り多くの下りリンク・タイムスロットを選択する。
Ｂ．連続するタイムスロットを選んでいる間は、タイムスロット番号（（下りリンクの最も低いＴＮ）＋４−Ｔrx）から始めて、タイムスロット番号の降順で、移動局のマルチスロット・クラスのパラメータＴx及び利用可能性に従って、可能な限り多くの上りリンク・タイムスロットを選択する。
Ｃ．連続するタイムスロットを選んでいる間は、タイムスロット番号（（下りリンクの最も低いＴＮ）＋５−Ｔrx）から始めてタイムスロット番号の昇順で、移動局のマルチスロット・クラスのパラメータＴx及び利用可能性に従って、可能な限り多くの上りリンク・タイムスロットを続けて選択する。
【００７８】
動的割当てによる上りリンクＲＬＣデータ・ブロック転送
この小節は、パケット転送モード、媒体アクセス制御（ＭＡＣ）共有状態またはＭＡＣデュアル転送モード（ＭＡＣ−ＤＴＭ）状態である間の、動的割当てによる上りリンク・無線リンク制御（ＲＬＣ）データ・ブロック転送についての移動局の動作を規定する。
【００７９】
移動局１２０が、例えば、PACKET UPLINK ASSIGNMENT、MULTIPLE TBF UPLINK ASSIGNMENT、PACKET TIMESLOT RECONFIGURE、MULTIPLE TBF TIMESLOT RECONFIGURE、またはPACKET CS RELEASE INDICATIONの各メッセージのような、ＴＢＦ開始時間を含まない上りリンク割り当てを受信する場合、上りリンクＴＢＦが基本送信時間間隔（ＢＴＴＩ：Basic Transmission Time Interval）構成で割り当てられると、移動局１２０は、下りリンクのパケット・データ・チャネル（ＰＤＣＨ）をモニタリングし始めうるとともに、当該下りリンクのＰＤＣＨは、反応時間（reaction time）内に割り当てられた上りリンク・ＰＤＣＨのそれぞれについて割り当てられた上りリンク状態フラグ（ＵＳＦ：Uplink State Flag）値について、（即ち、同一のタイムスロット番号を有する）割り当てられた上りリンクＰＤＣＨに対応し、即ち、同一のタイムスロット番号を有する、割り当てられた上りリンクＰＤＣＨに対応する。あるいは、上りリンクＴＢＦが縮小（Reduced）送信時間間隔（ＲＴＴＩ）構成で割り当てられると、移動局１２０は、反応時間内に割り当てられたＵＳＦ値について割り当てられた上りリンクのＰＤＣＨ対に対応する下りリンクのＰＤＣＨ対をモニタリングし始めうる。ＴＢＦ開始時間情報要素が存在し、かつ、上りリンクＴＢＦが進行中ではないが、１つ以上の下りリンクＴＢＦが進行中であると、移動局１２０は、ＵＳＦをモニタリングし始め、かつ、新たに割り当てられた上りリンクＴＢＦパラメータを用いる前の、開始時間まで待機しうる。開始時間を待っている間、移動局１２０は、下りリンクの割り当てられたＰＤＣＨをモニタリングしうる。ＴＢＦ開始時間情報要素が存在し、かつ、１つ以上の上りリンクＴＢＦが既に進行中であると、移動局１２０は、ＴＢＦ開始時間により表されるＴＤＭＡフレーム番号が生じるまで、進行中の上りリンクＴＢＦの割り当てられたパラメータを使用し続けてもよく、ＴＢＦ開始時間で、移動局１２０は、新たに割り当てられた上りリンクＴＢＦのパラメータを使用し始めてもよい。移動局１２０は、ＴＢＦが解除されるか、再構成されるかのいずれかまで、上りリンクＴＢＦのそれぞれについての新たに割り当てられたパラメータを使用し続けうる。ＴＢＦ開始時間により表されるフレーム番号を待っている間に、移動局１２０が別の上りリンク割り当てを受信すると、移動局１２０は、直近に受信した上りリンク割り当てに基づいて動作してもよく、それまでの上りリンク割り当てを無視してもよい。
【００８０】
移動局１２０が、PACKET RESOURCE REQUESTメッセージで複数の上りリンクＴＢＦを要求していると、ネットワーク・ノード１１０は、応答で１つ以上の上りリンク割り当てメッセージを送信することによって、これらのＴＢＦについてリソースを割り当ててもよい。移動局１２０は、連続して受信される上りリンク割り当てメッセージのそれぞれに基づいて動作してもよい。
【００８１】
ＢＴＴＩ構成で動作しているＴＢＦを有する移動局１２０は、上りリンクの割り当てられたＰＤＣＨに対応する下りリンクの全てのＰＤＣＨをモニタリングしうる。ＲＴＴＩ構成でＴＢＦを動作させている場合、移動局１２０は、上りリンクの割り当てられたＰＤＣＨ対の数及びそのマルチスロット能力に従ってモニタリングされうる上りリンクの割り当てられたＰＤＣＨ対に関連している、対応する下りリンクのＰＤＣＨ対をモニタリングしうる。
【００８２】
移動局１２０が、モニタリング中の下りリンクのＰＤＣＨまたはＰＤＣＨ対で、割り当てられたＵＳＦ値を検出する場合はいつでも、移動局１２０は、単一の無線リンク制御／媒体アクセス制御（ＲＬＣ／ＭＡＣ）ブロックか、一連の４つのＲＬＣ／ＭＡＣブロックのいずれかを、当該ＴＢＦが拡張上りリンクＴＢＦモードで動作中である場合を除き、当該ＴＢＦについて同一のＰＤＣＨまたは対応するＰＤＣＨ対で送信しうる。当該ＴＢＦが拡張上りリンクＴＢＦモードで動作中である場合には、移動局１２０は、同一のＰＤＣＨまたは対応するＰＤＣＨ対に割り当てられた他のＴＢＦについて、（複数の）ＲＬＣ／ＭＡＣブロックを送信しうる。移動局１２０が送信に用いうる上りリンクのブロックと、ＵＳＦ値の発生との間の時間関係は、予め定義されうる。送信すべきＲＬＣ／ＭＡＣブロックの数は、上りリンクＴＢＦを特徴付けるUSF_GRANULARITYパラメータによって制御可能である。
【００８３】
更に、ＥＦＴＡが用いられる上りリンクＴＢＦを有する移動局１２０は、１つ以上の並行する下りリンクＴＢＦを有するものの、対応する（複数の）無線ブロック期間中に、上りリンクの無線ブロック送信用に割り当てられたリソースの総数を完全に利用するのに十分な、送信に準備できているＲＬＣ／ＭＡＣブロックを有していない場合には、当該移動局１２０は、マルチスロット・クラスの切替要件を考慮して、利用可能な最後のＲＬＣ／ＭＡＣブロックを送信してから、下りリンクの割り当てられたＰＤＣＨまたはＰＤＣＨ対をモニタリングし始めてもよい。そのような場合には、本明細書で規定された順序で、ＵＳＦによって割り当てられた上りリンク・ＰＤＣＨで、送信が行われてもよい。
【００８４】
ＲＴＴＩ構成で動作している上りリンクＴＢＦは、ＲＴＴＩ ＵＳＦモードか、ＢＴＴＩ ＵＳＦモードのいずれかで割り当てられたＵＳＦを受信しうる。ＵＳＦモードは、対応する上りリンクＴＢＦの割り当ての間に知らされうる。
【００８５】
ＢＴＴＩ ＵＳＦモードでＵＳＦを受信する、ＲＴＴＩ構成における上りリンクＴＢＦについては、以下のとおりである。
モニタリング中の下りリンク・ＰＤＣＨ対の第１のＰＤＣＨで受信される、割り当てられたＵＳＦは、USF_GRANULARITYの値に依存して、対応する上りリンク・ＰＤＣＨ対で、後続する（複数の）基本無線ブロック期間の、第１の２つのＴＤＭＡフレーム内の、１つまたは４つの上りリンクＲＴＴＩ無線ブロックにリソースを割り当てうる。
【００８６】
モニタリング中の下りリンクのＰＤＣＨ対の第２のＰＤＣＨで受信される、割り当てられたＵＳＦは、USF_GRANULARITYの値に依存して、対応する上りリンク・ＰＤＣＨ対で、後続する（複数の）基本無線ブロック期間の、第２の２つのＴＤＭＡフレーム内の、１つまたは４つの上りリンクＲＴＴＩ無線ブロックにリソースを割り当てうる。
【００８７】
ＲＴＴＩ  ＵＳＦモードでＵＳＦを受信する、ＲＴＴＩ構成における上りリンクＴＢＦについては、以下のとおりである。
所与の基本無線ブロック期間の第１の縮小無線ブロック期間に、モニタリング中の下りリンク・ＰＤＣＨ対で受信される割り当てられたＵＳＦは、USF_GRANULARITYの値に依存して、上りリンクの対応するＰＤＣＨ対で、同じ基本無線ブロック期間において始まり、かつ、後続する基本無線ブロック期間において第２の縮小無線ブロック期間を継続する、当該第２の縮小無線ブロック期間内の、１つまたは４つの上りリンク・ＲＴＴＩ無線ブロックにリソースを割当てうる。
【００８８】
所与の基本無線ブロック期間の第２の縮小無線ブロック期間に、モニタリング中の下りリンク・ＰＤＣＨ対で受信される割り当てられたＵＳＦは、USF_GRANULARITYの値に依存して、上りリンクの対応するＰＤＣＨ対で、次の基本無線ブロック期間において始まり、かつ、後続する基本無線ブロック期間において第１の縮小無線ブロック期間を継続する、当該第１の縮小無線ブロック期間内の、１つまたは４つの上りリンク・ＲＴＴＩ無線ブロックにリソースを割当てうる。
【００８９】
下りリンク・デュアル・キャリア（Downlink Dual Carrier）構成では、１つ以上のＰＤＣＨが、異なる２つの無線周波数チャネルのそれぞれにおいて、単一の移動局１２０に割り当てられうる。下りリンク・デュアル・キャリア構成を用いる移動局１２０に、任意の所与の無線ブロック期間中に、両方の無線周波数チャネルにおいて無線ブロックを割り当てることはできない。
【００９０】
移動局１２０がＲＬＣ／ＭＡＣブロックをネットワーク・ノード１１０に送信する場合、ブロックが送信された上りリンクＴＢＦについて、例えばタイマーＴ３１８０のようなタイマーを始動させうる。移動局１２０が、当該ＴＢＦに割り当てられた上りリンクＰＤＣＨに対応する下りリンクＰＤＣＨにおいて、割り当てられたＵＳＦ値を検出した場合、移動局１２０は、例えば、タイマーＴ３１８０のようなタイマーを再始動しうる。例えばタイマーＴ３１８０のような、任意の所与のタイマーが切れると、移動局１２０は、異常解放して、アクセスを再試行しうる。
【００９１】
ネットワーク・ノード１１０が任意の所与のＴＢＦについて有効なＲＬＣ／ＭＡＣブロックを受信した場合はいつでも、ネットワーク・ノードは、当該ＴＢＦについて、例えばカウンタＮ３１０１のようなカウンタをリセットしうる。ネットワーク・ノード１１０は、当該ＴＢＦに割り当てられた、データが受信されていない各無線ブロックについて、例えばカウンタＮ３１０１のようなカウンタを進めうる。Ｎ３１０１＝Ｎ３１０１ｍａｘ（閾値）となった場合、ネットワーク・ノード１１０は、当該ＴＢＦについてＲＬＣ／ＭＡＣブロックのスケジューリングを停止するとともに、例えばＴ３１６９のような第２のタイマーを始動する。例えばタイマーＴ３１６９のような第２のタイマーが切れた場合、ネットワーク・ノード１１０は、当該ＴＢＦに割り当てられたＵＳＦ及びＴＦＩを再使用しうる。一部の実施形態によれば、パケット交換（ＰＳ）ハンドオーバが実行中である場合、ネットワーク・ノード１１０が、例えばカウンタＮ３１０１のようなカウンタを進めることは、強制でなくともよい。
【００９２】
上りリンクＰＤＣＨ割当て
PACKET UPLINK ASSIGNMENTメッセージ及びMULTIPLE TBF UPLINK ASSIGNMENTメッセージは、移動局１２０に対して、１個からＮ個までの上りリンクＰＤＣＨのサブセット（上りリンクＴＢＦがＢＴＴＩ構成で動作する場合）、または、上りリンクＰＤＣＨ対（上りリンクＴＢＦがＲＴＴＩ構成で動作する場合）を割り当てる。ここで、Ｎは、移動局のマルチスロット・クラスに依存するか、または基づいている。
【００９３】
ＲＴＴＩ構成で動作する上りリンクＴＢＦは、ＢＴＴＩ ＵＳＦモードかＲＴＴＩ ＵＳＦモードのいずれかで割り当てられたＵＳＦを受信しうる。ＢＴＴＩ ＵＳＦモードかＲＴＴＩ ＵＳＦモードかのいずれが用いられるべきかについての情報は、対応する上りリンクＴＢＦの割り当ての間に提供される。
【００９４】
移動局１２０が下りリンク・デュアル・キャリアをサポートしている場合、PACKET UPLINK ASSIGNMENTメッセージまたはMULTIPLE TBF UPLINK ASSIGNMENTメッセージが、２つ以上のキャリア周波数で（任意の所与の上りリンクＴＢＦに対応する）ＰＤＣＨを割り当てうる。これが発生した場合、拡張動的割当（Extended Dynamic Allocation）手順が、２つのキャリアのそれぞれについて独立して動作しうる。
【００９５】
移動局１２０は、ＢＴＴＩ構成で動作している上りリンクＴＢＦを有する場合、最小番号（lowest numbered）のＰＤＣＨから始まり、それから次に小さい番号のＰＤＣＨ等を経て、割り当てられた最大番号（highest numbered）の上りリンクＰＤＣＨに対応するものに至るまで、割り当てられた上りリンクＰＤＣＨに対応する（すなわち、それと同一のタイムスロット番号を有する）下りリンクＰＤＣＨをモニタリングしうる。移動局１２０は、ＲＴＴＩ構成で動作している上りリンクＴＢＦを有する場合、最小番号のタイムスロットを有する上りリンクＰＤＣＨ対に対応するものから始まり、それから次の上りリンクのＰＤＣＨ対等を経て、移動局１２０に割り当てられた最大番号のタイムスロットを有する上りリンクＰＤＣＨ対に対応する下りリンクＰＤＣＨ対に至るまで、下りリンクＰＤＣＨ対をモニタリングしうる。ネットワーク・ノード１１０は、デュアル転送モードにある場合には、上りリンク専用チャネルの存在に起因して、対応する下りリンクＰＤＣＨを移動局１２０がモニタリングできない上りリンクＰＤＣＨを、割り当てることはできない。例外として、デュアル転送モードのケースでは、移動局１２０がＤＴＭの高いマルチスロット・クラス能力のサポートを示す場合にも、ネットワーク・ノード１１０は、対応する下りリンクのＰＤＣＨを移動局１２０がモニタリングできない上りリンクのＰＤＣＨを、割り当ててもよい。このケースでは、移動局１２０は、上りリンク専用チャネルの位置、及び、マルチスロット・クラスの切替要件を考慮する場合に実現可能な、それらの下りリンクＰＤＣＨのみをモニタリングしてもよい。
【００９６】
ＢＴＴＩ構成で動作している上りリンクＴＢＦを有する移動局１２０が、割り当てられたＵＳＦを、モニタリング中のＰＤＣＨで検出する場合にはいつでも、移動局１２０は、対応する（すなわち、ＵＳＦが検出された下りリンクＰＤＣＨと同一のタイムスロット番号を有する）上りリンクＰＤＣＨ、及び、割り当てられたより高い番号の全ての上りリンクＰＤＣＨにおいて、単一のＲＬＣ／ＭＡＣブロックか、一連の４つのＲＬＣ／ＭＡＣブロックのいずれかを送信しうる。ＥＦＴＡが用いられるＢＴＴＩ構成で動作している上りリンクＴＢＦを有する移動局１２０が、並行する１つ以上の下りリンクＴＢＦを有しているが、対応する（複数の）無線ブロック期間中に、上りリンクの無線ブロック送信用に割当てられたリソースの総数を完全に利用するのに十分な、送信の準備ができているＲＬＣ／ＭＡＣブロックを有していない場合にも、当該移動局は、マルチスロット・クラスの切替要件を考慮して、利用可能な最後のＲＬＣ／ＭＡＣブロックを送信してから、割り当てられた下りリンクＰＤＣＨをモニタリングし始めうる。そのような場合には、本明細書で規定された順序で、ＵＳＦによって割り当てられた上りリンクＰＤＣＨで、送信が行われてもよい。下記は、ＢＴＴＩ ＵＳＦモードでＵＳＦを受信するＲＴＴＩ構成における上りリンクＴＢＦに適用される。
【００９７】
モニタリング中の下りリンクＰＤＣＨ対の第１のＰＤＣＨで受信される、割り当てられたＵＳＦは、対応する上りリンクＰＤＣＨ対、及び、より高い番号のタイムスロットを有する割り当てられた全ての上りリンクＰＤＣＨ対において、後続する（複数の）基本無線ブロック期間の２つの第１のＴＤＭＡフレーム内の、１つまたは４つの上りリンクＲＴＴＩ無線ブロックに、リソースを割り当てうる。
【００９８】
モニタリング中の下りリンクＰＤＣＨ対の第２のＰＤＣＨで受信される、割り当てられたＵＳＦは、対応する上りリンクＰＤＣＨ対、及び、より高い番号のタイムスロットを有する割り当てられた全ての上りリンクＰＤＣＨ対において、後続する（複数の）基本無線ブロック期間の２つの第２のＴＤＭＡフレーム内の、１つまたは４つの上りリンクＲＴＴＩ無線ブロックに、リソースを割り当てうる。
【００９９】
下記は、ＲＴＴＩ ＵＳＦモードでＵＳＦｓを受信する、ＲＴＴＩ構成での上りリンクＴＢＦに適用されうる。
【０１００】
モニタリング中の下りリンクＰＤＣＨ対で、所与の基本無線ブロック期間の第１の縮小無線ブロック期間において受信される、割り当てられたＵＳＦは、上りリンクの対応するＰＤＣＨ対、及び、より高い番号のタイムスロットを有する上りリンクの割り当てられた全てのＰＤＣＨ対で、同一の基本無線ブロック期間において始まり、かつ、後続する基本無線ブロック期間において第２の縮小無線ブロック期間を継続する、当該第２の縮小無線ブロック期間において、ＵＳＦ粒度（granularity）に依存して、１つまたは４つの上りリンクＲＴＴＩ無線ブロックにリソースを割り当てる。
【０１０１】
モニタリング中の下りリンクＰＤＣＨ対で、所与の基本無線ブロック期間の第２の縮小無線ブロック期間において受信される、割り当てられたＵＳＦは、上りリンクの対応するＰＤＣＨ対、及び、より高い番号のタイムスロットを有する上りリンクの割り当てられた全てのＰＤＣＨ対で、次の基本無線ブロック期間において始まり、かつ、後続する基本無線ブロック期間において第１の縮小無線ブロック期間を続ける、当該第１の縮小無線ブロック期間において、ＵＳＦ粒度に依存して、１つまたは４つの上りリンクＲＴＴＩ無線ブロックにリソースを割り当てる。
【０１０２】
ＥＦＴＡが用いられる、ＲＴＴＩ構成における上りリンクＴＢＦが、並行する１つ以上の下りリンクＴＢＦを移動局１２０も有しているときに、ＢＴＴＩ ＵＳＦモードかＲＴＴＩ ＵＳＦモードのいずれかでＵＳＦを受信するものの、当該移動局１２０が、対応する（複数の）無線ブロック期間の間に、上りリンクの無線ブロック送信のために割り当てられたリソースの総数を完全に利用するのに十分な、送信に準備できているＲＬＣ／ＭＡＣブロックを有していない場合には、当該移動局は、マルチスロット・クラスの切替時間要件を考慮して、利用可能な最後のＲＬＣ／ＭＡＣブロックを送信してから、割り当てられた下りリンクＰＤＣＨ対をモニタリングし始めうる。そのような場合には、本明細書で規定されている順序で、ＵＳＦによって割り当てられた上りリンクＰＤＣＨ対で、送信が行われてもよい。
【０１０３】
割り当てられた上りリンクＰＤＣＨ／ＰＤＣＨ対のそれぞれで送信されるべきＲＬＣ／ＭＡＣブロックの数は、上りリンクＴＢＦを特徴付けるUSF_GRANULARITYパラメータによって制御されうる。移動局１２０は、ＢＴＴＩ構成かＲＴＴＩ構成のいずれかで、一部の実施形態に従って、割り当てられたＵＳＦ値が検出されるブロック期間中に、より高い番号のタイムスロットを有する、それらの高い番号のＰＤＣＨまたはＰＤＣＨ対においてＵＳＦを無視しうる。更に、USF_GRANULARITYが４つのブロック割当てに設定されている場合、移動局１２０が送信の許可を与えられている３つの第１のブロック期間中に、他の全てのＰＤＣＨ／ＰＤＣＨ対で、移動局はＵＳＦを無視しうる。一部の実施形態によれば、４つのブロック割当てのうちの最後の３つのブロックに対応するＵＳＦは、移動局が送信の許可を与えられているＰＤＣＨ／ＰＤＣＨ対のそれぞれについて、未使用の値に設定されうる。
【０１０４】
移動局１２０は、送信の許可を与えられている基本無線ブロック期間または縮小無線ブロック期間中に、当該基本無線ブロック期間または当該縮小無線ブロック期間において送信のために割り当てられたＰＤＣＨ／ＰＤＣＨ対と、移動局のマルチスロット・クラスの切替要件とを考慮して、最小番号のタイムスロットを有する最小番号のＰＤＣＨまたはＰＤＣＨ対から始まり、移動局１２０がモニタリングできる最大番号のタイムスロットを有する最大番号のＰＤＣＨまたはＰＤＣＨ対に至るまで、割り当てられた上りリンクＰＤＣＨ／ＰＤＣＨ対に対応する下りリンクＰＤＣＨ／ＰＤＣＨ対において、割り当てられたＵＳＦをモニタリングしうる。
【０１０５】
ネットワーク・ノード１１０が、基本／縮小無線ブロック期間ごとに移動局１２０に割り当てられるＰＤＣＨ／ＰＤＣＨ対の数を減らしたい場合には、ネットワーク・ノード１１０は、このことが、新たな割当てにおいて最小番号のタイムスロットを有する最小番号の上りリンクＰＤＣＨまたはＰＤＣＨ対に対応する、下りリンクＰＤＣＨ／ＰＤＣＨ対において割り当てられたＵＳＦをモニタリングする、移動局の能力に適合していることを条件として、一部の実施形態に従って、ＰＤＣＨ／ＰＤＣＨ対の数を減らしうる。それ以外の場合には、ネットワーク・ノード１１０は、割り当てられた数多くのＰＤＣＨ／ＰＤＣＨ対を有する基本／縮小無線ブロック期間に続く、１つの基本／縮小無線ブロック期間の間、当該移動局１２０に対して何らリソースを割り当てえない。
【０１０６】
上りリンクの基本／縮小ＴＴＩ無線ブロックが、ポーリング・メカニズムによってＰＤＣＨ／ＰＤＣＨ対に割り当てられる、下りリンク・ブロック期間において、移動局１２０は、最小番号のタイムスロットを有する最小番号のＰＤＣＨまたはＰＤＣＨ対から始まり、基本／縮小無線ブロック期間において送信のために割り当てられるＰＤＣＨ／ＰＤＣＨ対と、移動局のマルチスロット・クラスの切替要件とを考慮する場合に実現可能な、最大番号のタイムスロットを有する最大番号のＰＤＣＨまたはＰＤＣＨ対に至るまで、割り当てられた上りリンクＰＤＣＨ／ＰＤＣＨ対に対応する下りリンクＰＤＣＨ／ＰＤＣＨ対に割り当てられたＵＳＦをモニタリングしうる。
【０１０７】
ＢＴＴＩ構成における上りリンクＴＢＦについては、一部の実施形態によれば、ＵＳＦによって割り当てられた上りリンクＰＤＣＨ上で、下記の表１に示されているタイムスロット番号順ＴＮ＝（ｄ＋４−Ｔrx，ｄ＋３−Ｔrx，・・・，０，ｄ＋５−Ｔrx，ｄ＋６−Ｔrx，・・・，７）で、送信が行われうる。ここで、ｄは、移動局１２０がモニタリングする必要がある下りリンクの最小番号のタイムスロットを示すために用いられる一方で、Ｔrxは、送信から受信への切替時間である。
【０１０８】
【表１】
0005583793.tif 000002
【０１０９】
ＲＴＴＩ構成における上りリンクＴＢＦについては、上記のタイムスロット番号ＴＮへの参照は、このケースではむしろ、ＰＣＤＨ対の最小番号のタイムスロットとして解釈される場合がある。
【０１１０】
表１に記載されている「Ｔra」は、移動局１２０が、隣接セルの信号レベル測定を行い、そして受信する準備を行うために利用する時間に関連する。
【０１１１】
タイプ１の移動局１２０については、Ｔraは、以前の送信タイムスロットまたは受信タイムスロットと、次の受信タイムスロットとの間で、測定がその間に行われることになる場合に許可される、最小のタイムスロット数であってもよい。
【０１１２】
タイプ２の移動局１２０については、Ｔraは、フレーム内の最後の受信バーストの終わりと、次のフレーム内の最初の受信バーストとの間で許可される、最小のタイムスロット数であってもよい。
【０１１３】
「Ｔrb」は、移動局１２０が、受信する準備をするために利用する時間に関連する。Ｔrbの最小の要件は、隣接セルの電力測定が、選択されたサービスによって要求されない場合に利用されうる。
【０１１４】
タイプ１の移動局１２０については、Ｔrbは、以前の送信タイムスロットと次の受信タイムスロットとの間で、または以前の受信タイムスロットと次の受信タイムスロットとの間で、周波数がその間に変更される場合に許可される、最小のタイムスロット数であってもよい。
【０１１５】
タイプ２の移動局１２０については、Ｔrbは、フレーム内の最後の受信バーストの終わりと次のフレーム内の最初の受信バーストとの間で許可される、最小のタイムスロット数であってもよい。
【０１１６】
図３は、ネットワーク・ノード１１０を全体的に見て、ネットワーク・ノード１１０における本方法の実施形態を示す概略的なブロック図である。ネットワーク・ノード１１０は、基地局またはそれと同様のものによって表されうる。本方法は、ネットワーク・ノード１１０と移動局１２０との間における無線送信をスケジューリングすることを狙いとしている。ネットワーク・ノード１１０及び移動局１２０は、無線通信システム１００内に備えられており、ネットワーク・ノード１１０は、移動局１２０に対するサービング基地局として動作しうる。
【０１１７】
本方法は、無線通信システム１００内で無線送信を効率的にスケジューリングするために、いくつかのアクション３０１〜３０４を含みうる。それらのアクションは、種々の実施形態によれば、その番号が示す順序とは多少異なる時系列で実行されうる。更に、図３に破線で示されている、それらのアクションの一部は、一部の代替の実施形態に含まれることに留意されたい。例えば、アクション３０２及びアクション３０３のような、いずれかの、一部の、または全てのアクションは、同時に実行されるか、または再構成された時系列で実行されうる。本方法は、下記のアクションを含みうる。
【０１１８】
アクション３０１
移動局１２０のマルチスロット・クラスが得られる。
【０１１９】
アクション３０２
下りリンクのテンポラリ・ブロック・フロー構成が決定される。
【０１２０】
アクション３０３
このアクションは、一部の代替の実施形態において実行されうる。
【０１２１】
一部の実施形態によれば、可能な限り多くの下りリンク・タイムスロットが、移動局１２０についての得られたマルチスロット・クラスに基づいて、割り当てられうる。
【０１２２】
一部の実施形態によれば、下りリンク・タイムスロットの割当ては、連続する複数の下りリンク・タイムスロットで行われうる。
【０１２３】
複数の下りリンク・タイムスロットを連続して割り当てることに伴う効果は、上りリンクと下りリンクとの間の切替の回数が低減されることである。上りリンクと下りリンクとの間の切替ごとに、実行にある程度の時間がかかることから、時間が節約され、これによりシステムのスループットが高められ、利用可能なリソースの利用度が向上し、かつ、無線通信システム１００における性能が改善されることになる。
【０１２４】
アクション３０４
上りリンク・タイムスロットが、移動局１２０に対して割り当てられる。割り当てられた上りリンク・タイムスロットのそれぞれは、下りリンクのテンポラリ・ブロック・フロー構成と移動局１２０のマルチスロット・クラスとに基づいて、優先度値と関連付けられる。
【０１２５】
下りリンクのテンポラリ・ブロック・フロー構成と移動局１２０のマルチスロット・クラスとに基づいて、上りリンク・タイムスロットを移動局１２０に割り当てる際の効果は、下りリンク・タイムスロットと上りリンク・タイムスロットとが衝突する確率が低減されるか、または除去さえされることである。
【０１２６】
一部の実施形態によれば、上りリンク・タイムスロットの移動局１２０への割当ては、連続する複数の上りリンク・タイムスロットで行われうる。
【０１２７】
複数の上りリンク・タイムスロットを連続して割り当てることに伴う効果は、上りリンクと下りリンクとの間の切替の回数が低減されることである。上りリンクと下りリンクとの間の切替ごとに、実行にある程度の時間がかかることから、時間が節約され、これによりシステムのスループットを高められ、利用可能なリソースの利用度が向上し、かつ、無線通信システム１００における性能を改善されることになる。
【０１２８】
一部の実施形態によれば、可能な限り多くの上りリンク・タイムスロットが、移動局１２０についての得られたマルチスロット・クラスに基づいて、下記のアルゴリズム、
下りリンクの送信に割り当てられる最小のタイムスロット番号に４を加えて、送信から受信に切り替えるのに要するタイムスロットの数を引く、
ことによって計算される、最大で７タイムスロットの、タイムスロット番号から始まり、タイムスロット０に至る、タイムスロット番号の降順で、優先度順（priority order）に選択されうる。
【０１２９】
一部の実施形態によれば、下記のサブ・アクションが実行されうる。
下りリンクの送信に割り当てられる最小のタイムスロット番号を決定し、
当該決定されたタイムスロット番号に、４を加え、
送信から受信に切り替えるのに要するタイムスロットの数を設定し、
それまでに計算された和から、当該設定されたタイムスロットの数を引き、
上記のパラメータ値の最終的な和を計算することによって、移動局１２０に割り当てるべき、最初の上りリンク・タイムスロットを確定し、
移動局１２０に割り当てるべき次の上りリンク・タイムスロットについて、タイムスロット０に至るまで、次の降順のタイムスロット番号を選択する。
【０１３０】
一部の実施形態によれば、可能な限り多くの上りリンク・タイムスロットが、移動局１２０についての得られたマルチスロット・クラスに基づいて、下記のアルゴリズム、
下りリンクの送信に割り当てられる最小のタイムスロット番号に５を加えて、送信から受信に切り替えるのに要するタイムスロットの数を引く、
ことによって計算される、最大で７タイムスロットの、タイムスロット番号から始まり、タイムスロット７に至る、タイムスロット番号の昇順で、優先度順に選択されうる。
【０１３１】
それらの実施形態によれば、下記のサブ・アクションが実行されうる。
下りリンクの送信に割り当てられる最小のタイムスロット番号を決定、
当該決定されたタイムスロット番号に、５を加え、
送信から受信に切り替えるのに要するタイムスロットの数を設定し、
それまでに計算された和から、当該設定されたタイムスロットの数を引き、
上記のパラメータ値の最終的な和を計算することによって、移動局１２０に割り当てるべき、最初の上りリンク・タイムスロットを確定し、
移動局１２０に割り当てられるべき次の上りリンク・タイムスロットについて、タイムスロット７に至るまで、次の昇順のタイムスロット番号を選択する。
【０１３２】
可能な限り多くの上りリンク・タイムスロットは、例えば表１に例示されているようなテーブルから選択されてもよく、当該テーブルは同様に、一部の実施形態によれば、開示した上記アルゴリズムのいずれかまたは両方に基づいて構築されてもよい。
【０１３３】
当該テーブルは、メモリ、データベース、またはデータを格納するのに都合の良い任意の他の手段のような、メモリ・デバイスに格納されうる。
【０１３４】
本方法に係るアルゴリズムは、２つの入力を有するので、あらゆる組み合わせを（例えば、予め定義された選択テーブルにおいて、または、当該選択テーブルが更に参照されうるルックアップテーブルにおいて）実装することが、実現可能である。このことは、適切な構成を選択することを、または、最適な構成を選択することでさえ、決定論的かつ高速にする。
【０１３５】
図４は、ネットワーク・ノード１１０を示すブロック図である。ネットワーク・ノード１１０は、一部の実施形態によれば、基地局またはそれと同様のものによって表されうる。ネットワーク・ノード１１０は、ネットワーク・ノード１１０と移動局１２０との間の無線送信をスケジューリングするために、アクション３０１〜アクション３０４のいずれか、一部、または全てを実行するように構成される。
【０１３６】
明確化を目的として、本方法を理解するためには必ずしも不可欠であるとはいえない、ネットワーク・ノード１１０に含まれる任意の内部電子部品または他の構成要素は、図４から省略されている。
【０１３７】
アクション３０１〜３０４を正しく実行するために、ネットワーク・ノード１１０は、処理回路４２０を備えている。処理回路４２０は、下りリンクのテンポラリ・ブロック・フロー構成を決定するように構成される。更に、処理回路４２０は、移動局１２０のマルチスロット・クラスを得るように構成される。その上、処理回路４２０は更に、下りリンクのテンポラリ・ブロック・フロー構成と移動局１２０のマルチスロット・クラスとに基づいて、上りリンク・タイムスロットを移動局１２０に割り当てるとともに、割り当てられた上りリンク・タイムスロットのそれぞれを、優先度値と関連付けるように構成される。
【０１３８】
処理回路４２０は、例えば、中央処理装置（ＣＰＵ）、処理ユニット、プロセッサ、マイクロプロセッサ、または、命令を解釈及び実行しうる他の処理ロジックのうちの１つ以上の例を、備えうる。処理回路４２０は更に、呼処理制御、ユーザ・インタフェース制御等の、データ・バッファリング機能及びデバイス制御機能を含む、データの入力、出力及び処理のためのデータ処理機能を実行しうる。
【０１３９】
更に、一部の実施形態によれば、ネットワーク・ノード１１０は、移動局１２０からの信号を受信するように構成された受信機４１０を備えうる。
【０１４０】
その上、一部の実施形態によれば、ネットワーク・ノード１１０は、送信機４３０を備えている。送信機４３０は、一部の実施形態によれば、例えば、上りリンクの割当てを移動局１２０に送信する等のように、移動局１２０に信号を送信するように構成されうる。
【０１４１】
更に、無線通信システム１００におけるネットワーク・ノード１１０内に備えられる、上述のユニット４１０〜４３０のうちのいくつかは、独立した論理エンティティと見なされるべきであるが、必ずしも独立した物理エンティティと見なされるべきではないことに留意されたい。１つの例だけ言及すると、受信機４１０及び送信機４３０は、同一の物理ユニットである送受信機内に備えられ（すなわち共同配置され）てもよい。当該送受信機は、送信回路及び受信回路を備えていてもよく、それらの回路は、それぞれアンテナを介して、発信無線周波数信号を送信し、及び、着信無線周波数信号を受信する。ネットワーク・ノード１１０と移動局１２０との間で伝送される無線周波数信号は、トラヒック信号と制御信号との両方（例えば、着信呼についてのページング信号／メッセージ）を含んでいてもよい。トラヒック信号及び制御信号は、別の相手との音声呼通信を確立して維持するために、または、データ（例えば、ＳＭＳ、電子メールまたはＭＭＳのメッセージ等）について、遠隔のユーザ装置、若しくは無線通信システム１００に備えられた他のノードとの間で送信及び受信の少なくともいずれかを行うために、用いられうる。
【０１４２】
ネットワーク・ノード１１０で実行されるアクション３０１〜３０４は、アクション３０１〜３０４の機能を実行するためのコンピュータ・プログラム・コードとともに、ネットワーク・ノード１１０内の１つ以上の処理回路４２０によって実装可能である。このようにして、ネットワーク・ノード１１０においてアクション３０１〜３０４を実行するための命令を含むコンピュータ・プログラムは、当該１つ以上の処理回路４２０に読み込まれる場合、ネットワーク・ノード１１０と移動局１２０との間の無線送信をスケジューリング可能である。
【０１４３】
上述したコンピュータ・プログラムは、処理回路４２０に読み込まれる場合、一部の実施形態によれば、例えば、アクションの３０１〜３０４の少なくともいくつかを実行するためのコンピュータ・プログラム・コードを担うデータ記憶媒体の形式で提供されうる。データ記憶媒体は、例えば、ハード・ディスク、ＣＤ ＲＯＭディスク、メモリ・スティック、光学記憶デバイス、磁気記憶デバイス、または、マシンで読み取り可能なデータを保持可能であるディスク若しくはテープのような、他の任意の適当な媒体であってもよい。コンピュータ・プログラムは更に、コンピュータ・プログラム・コードとしてサーバ上に提供されるとともに、例えば、インターネット接続またはイントラネット接続を介して、ネットワーク・ノード１１０にリモートでダウンロードされてもよい。
【０１４４】
図５は、移動局１２０を全体的に見て、移動局１２０における本方法の実施形態を示す概略的なブロック図である。移動局１２０は、ユーザ装置またはそれと同様のものによって表されうる。本方法は、ネットワーク・ノード１１０への、データの上りリンク送信における複数のタイムスロットについてのスケジューリングの順序を選択することを狙いとしている。ネットワーク・ノード１１０及び移動局１２０は、無線通信システム１００に備えられており、ネットワーク・ノード１１０は、移動局１２０に対するサービング基地局として動作しうる。
【０１４５】
本方法は、上りリンクの送信のためにタイムスロットを正しく選択するために、いくつかのアクション５０１５０３を含む。それらのアクションは、種々の実施形態によれば、その番号が示す順序とは多少異なる時系列で実行されうる。例えば、アクション５０１及びアクション５０２のような、いずれかの、一部の、または全てのアクションは、同時にまたは多少再構成された時系列で実行されうる。本方法は、下記のアクションを含みうる。
【０１４６】
アクション５０１
上りリンクの割当てが、ネットワーク・ノード１１０から受信される。
【０１４７】
受信した上りリンク割当ては、一部の実施形態によれば、割り当てられた特定のタイムスロットにおいて、特定のリソース上で（例えば、上りリンクＰＤＣＨ上で）、上りリンク・データを送信する許可を含みうる。このように、上りリンク割当ては、いずれのタイムスロットが上りリンクの送信に割り当てられるか（すなわち、移動局１２０が、ネットワーク・ノード１１０へのデータの送信のために、いずれのタイムスロットを用いてもよいか）を、移動局１２０に知らせる情報を含む。
【０１４８】
割り当てられた上りリンク・タイムスロットのそれぞれは、優先度値と関連付けられうる。上りリンクのタイムスロットの順序（すなわち、割り当てられたタイムスロットのそれぞれに関連付けられた優先度値）は、割り当てられた上りリンク・タイムスロットを移動局１２０が利用する順序が、移動局１２０によって選択されうる（すなわち、例えば表１で例示されているような、ルックアップテーブルまたはそれと同様のものにおいてハード・コーディングされる）ので、黙示的（implicit）であってもよい。
【０１４９】
アクション５０２
タイムスロットが上りリンクの送信のためにスケジューリングされる順序は、移動局１２０がモニタリングする必要がある下りリンクの最小番号のタイムスロットと、移動局１２０の送信から受信への切替時間とを、パラメータとして用いるアルゴリズムに基づいて、選択される。
【０１５０】
移動局１２０の送信から受信への切替時間は、移動局１２０が受信する準備をするのに要する時間を含みうる。
【０１５１】
しかし、移動局１２０の送信から受信への切替時間は、一部の代替の実施形態によれば、移動局１２０の受信から送信への切替時間に加えられた、送信から受信までの切替時間を含みうるか、一部の実施形態によれば、移動局１２０の送信から受信への切替時間、または受信から送信までの切替時間のいずれかを含みうる。
【０１５２】
優先度順は、一部の実施形態によれば、下記のアルゴリズムによって計算されるタイムスロット番号から始まり、タイムスロット０に至る、タイムスロット番号の降順であってもよい。
【０１５３】
移動局１２０がモニタリングする必要がある最小の下りリンク・タイムスロット番号に４を加えて、送信から受信に切り替えるのに要するタイムスロットの数を引く、ことによって計算される、最大で７タイムスロット。
【０１５４】
更に、当該優先度順は、一部の実施形態によれば、下記のアルゴリズムによって計算されるタイムスロット番号から始まり、タイムスロット７に至る、タイムスロット番号の昇順であってもよい。
【０１５５】
移動局１２０がモニタリングする必要がある最小の下りリンク・タイムスロット番号に５を加えて、送信から受信への切替えるのに要するタイムスロットの数を引く、ことによって計算される、最大で７タイムスロット。
【０１５６】
一部の実施形態によれば、上りリンク・タイムスロットは、例えば表１に例示されているようなルックアップテーブルから選択されてもよく、ルックアップテーブルは同様に、開示された上記アルゴリズムのいずれか、またはその両方に基づいて構築されてもよい。
【０１５７】
ルックアップテーブルは、メモリ、データベース、またはデータを格納するのに都合の良い任意の他の手段のような、メモリ・デバイスに格納されてもよく、移動局１２０の内部に含まれているか、または移動局１２０がアクセス可能である。
【０１５８】
アクション５０３
割り当てられた利用可能なタイムスロットがそれ以上存在しないか、送信するデータがそれ以上存在しないか、のいずれかになるまで、選択されたタイムスロット順に、上りリンクのデータが送信され、これにより、割り当てられた、余っているタイムスロットが、上りリンクの送信に用いられないようにする。上りリンクのデータは、ネットワーク・ノード１１０によって受信される。
【０１５９】
その結果、上りリンクの送信は、一部の実施形態によれば、タイムスロットの優先度順で実行されうる。
【０１６０】
図６は、移動局１２０を示すブロック図である。移動局１２０は、例えば、ユーザ装置またはそれと同様のもので表されうる。移動局１２０は、ネットワーク・ノード１１０への、データの上りリンク送信において、複数のタイムスロットについてのスケジューリングの順序を選択するために、アクション５０１〜５０３のいずれか、一部、または全てを実行するように構成される。
【０１６１】
明確化を目的として、本方法を理解するためには必ずしも不可欠であるとはいえない、移動局１２０に含まれる任意の内部電子部品または他の構成要素は、図６から省略されている。
【０１６２】
アクション５０１〜５０３を正しく実行するために、移動局１２０は、ネットワーク・ノード１１０から上りリンク割当てを受信するように構成された受信機６１０を備えている。
【０１６３】
更に、移動局１２０は処理回路６２０を備えている。処理回路６２０は、移動局１２０がモニタリングする必要がある最小番号の下りリンク・タイムスロットと、移動局１２０の送信から受信への切替時間と、をパラメータとして用いるアルゴリズムに基づいて、上りリンクの送信のために複数のタイムスロットがスケジューリングされる順序を選択するために構成されうる。移動局１２０の送信から受信への切替時間は、データを含む信号を移動局１２０が受信する準備をするのに要する時間と見なされうる。
【０１６４】
処理回路６２０は、例えば、中央処理装置（ＣＰＵ）、処理ユニット、プロセッサ、マイクロプロセッサ、または、命令を解釈及び実行しうる他の処理ロジックのうちの１つ以上の例を、備えうる。処理回路６２０は更に、呼処理制御、ユーザ・インタフェース制御等の、データ・バッファリング機能及びデバイス制御機能を含む、データの入力、出力及び処理のためのデータ処理機能を実行しうる。
【０１６５】
更に、移動局１２０は、送信機６３０を備えている。送信機６３０は、割り当てられた、余っているタイムスロットが、上りリンクの送信に用いられないように、割り当てられた利用可能なタイムスロットがそれ以上存在しないか、送信するデータがそれ以上存在しないか、のいずれかになるまで、割り当てられた上りリンク・タイムスロットでデータを送信するために構成される。上りリンクのデータは、ネットワーク・ノード１１０によって受信される。
【０１６６】
また、移動局１２０は、一部の実施形態によれば、複数のタイムスロットが、上りリンクの送信のためにスケジューリングされる順序を、例えば表１で例示されているようなルックアップテーブルに格納するように構成される、データを格納するためのメモリ６２５を備えていてもよい。
【０１６７】
更に、無線通信システム１００における移動局１２０内に備えられる、上述のユニット６１０〜６３０のうちのいくつかは、独立した論理エンティティと見なされるべきであるが、必ずしも独立した物理エンティティと見なされるべきではないことに留意されたい。１つの例だけ言及すると、受信機６１０及び送信機６３０は、同一の物理ユニットである送受信機内に備えられ（すなわち共同配置され）てもよい。当該送受信機は、送信回路及び受信回路を備えていてもよく、それらの回路は、それぞれアンテナを介して、それぞれ、発信無線周波数信号を送信し、及び、着信無線周波数信号を受信する。ネットワーク・ノード１１０と移動局１２０との間で伝送される無線周波数信号は、トラヒック信号と制御信号との両方（例えば、着信呼についてのページング信号／メッセージ）を含んでいてもよい。トラヒック信号及び制御信号は、別の相手と音声呼通信を確立して維持するために、または、データ（例えば、ＳＭＳ、電子メールまたはＭＭＳのメッセージ等）について、遠隔のユーザ装置、若しくは無線通信システム１００に備えられた他のノードとの間で送信及び受信の少なくともいずれかを行うために、用いられうる。
【０１６８】
移動局１２０で実行されるアクション５０１〜５０３は、アクション５０１〜５０３の機能を実行するためのコンピュータ・プログラム・コードとともに、移動局１２０内の１つ以上の処理回路６２０によって実装可能である。このようにして、移動局１２０においてアクション５０１〜５０３を実行するための命令を含むコンピュータ・プログラムは、当該１つ以上の処理回路６２０に読み込まれる場合、ネットワーク・ノード１１０への上りリンク送信のためにタイムスロットを選択可能である。
【０１６９】
上述したコンピュータ・プログラムは、処理回路６２０に読み込まれる場合、一部の実施形態によれば、例えば、アクションの５０１〜５０３の少なくともいくつかを実行するためのコンピュータ・プログラム・コードを担うデータ記憶媒体の形式で提供されうる。データ記憶媒体は、例えば、ハード・ディスク、ＣＤ ＲＯＭディスク、メモリ・スティック、光学記憶デバイス、磁気記憶デバイス、または、マシンで読み取り可能なデータを保持可能であるディスク若しくはテープのような、他の任意の適当な媒体であってもよい。コンピュータ・プログラムは更に、コンピュータ・プログラム・コードとしてサーバ上に提供されるとともに、例えば、インターネット接続またはイントラネット接続を介して、移動局１２０にリモートでダウンロードされてもよい。
【０１７０】
図７は、ＥＦＴＡモードにおけるマルチスロット・クラス２６（すなわち、８つの下りリンク・タイムスロット及び４つの上りリンク・タイムスロット）についての、種々のＴＢＦ構成間の性能の差異の一例を示す。当該差異は、エンドユーザにとっての性能として示されているが、無線通信システム１００がどの程度高い能力を有しているかを判定するために同様に重要でありうるリソース効率に関連しうる。同図に示しているように、上りリンクにおいてタイムスロット０、１、２及び３を含む、第１の構成が最も良好な性能を与える。
【０１７１】
添付の図面に示されている典型的な実施形態についての開示において用いられている用語は、本発明の方法及びノードを限定するようには意図されていない。
【０１７２】
本明細書で用いられているように、単数形「１つの（a）」、「１つの（an）」及び「その（the）」は、明示的に別段の定めをした場合を除き、複数形も含むように意図されている。更に、当然のことながら、用語「含む（includes）」、「備える（comprises）」、「含んでいる（including）」及び「備えている（comprising）」の少なくとも１つは、本明細書で用いられる場合、説明した特徴、整数、ステップ、操作、要素、及び構成要素の少なくとも１つについての存在を規定するが、他の特徴、整数、ステップ、操作、要素、構成要素、及びそれらのグループの少なくとも１つのうちの１つ以上についての、存在または追加を排除しない。当然のことながら、要素が別の要素に「接続されて（connected）」または「結合されて（coupled）」いると称される場合、要素が他の要素に直接に接続され、または結合されうるか、または介在要素が存在しうる。更に、本明細書で用いられる「接続されて」または「結合されて」は、無線による接続または結合を含みうる。本明細書で用いられるように、用語「及び／または（and/or）」は、関連して列挙された項目の１つ以上の任意の組み合わせ及び全ての組み合わせを含む。
【図１】
0005583793.tif 000003
【図２】
0005583793.tif 000004
【図３】
0005583793.tif 000005
【図４】
0005583793.tif 000006
【図５】
0005583793.tif 000007
【図６】
0005583793.tif 000008
【図７】
0005583793.tif 000009